(57)【要約】【課題】システム加入者のメールアドレスが他の加入者に知られてしまうことがなく、しかも一斉送信を受けた加入者が、最初のメールを送信した者のみに返信することを可能にする連絡網システムを提供する。【解決手段】それぞれが固有のメールアドレスを有してメールの送受信を行う複数の端末１０１，１０１・・・と、連絡網の送受信用として定義された所定のメールアドレスを有して前記複数の端末１０１，１０１・・・と接続され、それらの端末１０１，１０１・・・の一つから送信を受けたとき、前記複数の端末１０１，１０１・・・に対してメールを一斉送信する機能を備えたメールサーバー１０２とから構成された連絡網システムにおいて、メールサーバー１０２に、前記端末１０１，１０１・・・の一つから送信を受けたとき、その端末１０１のメールアドレスは秘匿した上で、該端末１０１を特定するメールアドレス以外の特定情報を付加してメールを一斉送信する機能を備えておく。【選択図】図１
2009159578.tif 000002
【特許請求の範囲】
【請求項１】
それぞれが固有のメールアドレスを有してメールの送受信を行う複数の端末と、連絡網の送受信用として定義された所定のメールアドレスを有して前記複数の端末と接続され、それらの端末の一つから送信を受けたとき、前記複数の端末に対してメールを一斉送信する機能を備えたメールサーバーとから構成された連絡網システムにおいて、前記メールサーバーが、前記端末の一つから送信を受けたとき、その端末のメールアドレスは秘匿した上で、該端末を特定するメールアドレス以外の特定情報を付加してメールを一斉送信する機能を備えたことを特徴とする連絡網システム。
【請求項２】
前記特定情報が付加されたメールを受信した端末から、そのメールへの返信がなされたとき、その特定情報が特定する一つの端末のみを選択して送信する機能を前記メールサーバーが備えたことを特徴とする請求項１記載の連絡網システム。
【請求項３】
前記一つの端末のみを選択して送信するとき、前記返信をした端末のメールアドレスを秘匿して送信する機能を前記メールサーバーが備えていることを特徴とする請求項２記載の連絡網システム。
【請求項４】
前記複数の端末それぞれの特定情報を端末のメールアドレスと対応付けて記憶した記憶手段が設けられるとともに、前記メールサーバーが、前記複数の端末の一つから送信を受けたとき、その端末のメールアドレスと対応する特定情報を前記記憶手段から読み出し、その読み出した特定情報をメールに付加して一斉送信を行う機能を備えていることを特徴とする請求項１から３いずれか１項記載の連絡網システム。
【発明の詳細な説明】
【技術分野】
【０００１】本発明は、携帯端末やコンピュータ端末等の端末複数と、それらが接続するメールサーバーとから構成された連絡網システムに関するものである。
【背景技術】
【０００２】従来、携帯端末やコンピュータ端末等の端末複数と、それらが接続するメールサーバーとから構成された、メールによる連絡網システムが公知となっている。このような連絡網システムにおいては、一つの端末からメールサーバーに対してメール送信がなされると、メールサーバーから一斉送信つまりシステム加入者全員の端末に向けた配信がなされるようになっている（例えば特許文献１参照）。【０００３】より詳しく説明すると、上述のような連絡網システムの一つとして、各端末固有のメールアドレスのまま送受信が行われるものが知られている。また別の例として、メールサーバーが連絡網の送受信用として定義された所定のメールアドレスを有した上で、それに接続する複数の端末の一つから送信を受けたとき、複数の端末すべてに対して一斉送信する機能を備えたものも公知となっている。このような連絡網システムにおいては、ある端末から連絡網に対して送信がなされたとき、それを受けたメールサーバーからシステム加入者全員に向けた一斉送信は、そのメールサーバーのメールアドレス、つまり上記所定のメールアドレスによってなされる。
【特許文献１】特開平１１−８８４２３号公報
【発明の開示】
【発明が解決しようとする課題】
【０００４】上に示した二つの連絡網システムの前者においては、送信者のメールアドレス（送信者の端末に付与された固有のメールアドレスのこと。以下同様）が、連絡網システム加入者の全員に知られてしまうという問題がある。またこのシステムにおいては、迷惑メール対策のために端末にドメイン指定受信やドメイン指定受信拒否を設定している場合には、連絡網システム加入者のメールアドレス毎にそれらの設定あるいは解除設定をする必要があり、設定操作が面倒になるという問題も認められる。【０００５】それに対して後者の連絡網システムでは、メールサーバーが持つ所定のメールアドレスで各端末への一斉送信がなされるので、送信者のメールアドレスが他のシステム加入者に知られてしまうこともなく、また、ドメイン指定受信拒否等の設定も、そのメールサーバーが持つメールアドレス一つに対して行うだけでよいから、大変簡単なものとなる。【０００６】ところがこの後者の連絡網システムにおいて、メールサーバーから一斉送信を受けたシステム加入者は、そのメールを送信した加入者のメールアドレスを知ることはできない。したがって、その一斉送信されたメールに対して返信する場合も、当然メールサーバーのメールアドレス宛に送信がなされるので、その返信したメールがまたシステム加入者全員に一斉送信されることになる。その場合、返信者は勿論、最初に一斉送信されたメールの内容に関して興味あるいは利害関係等が有るから返信することになった訳であるが、システム加入者の中にはそのような興味や利害関係等を持たない者（以下、当事者外という）が居る可能性もある。そうであると、その当事者外の人たちにとっては、最初の一回は仕方が無いものの、それ以後も何回か不要なメールが送信されて来ることになり、大変煩わしいことになる。【０００７】そこで本発明は、システム加入者のメールアドレスが他の加入者に知られてしまうことがなく、しかも一斉送信を受けた加入者が、最初のメールを送信した者（以下、メール発信者という）のみに返信することを可能にする連絡網システムを提供することを目的とする。
【課題を解決するための手段】
【０００８】本発明の連絡網システムは、それぞれが固有のメールアドレスを有してメールの送受信を行う複数の端末と、連絡網の送受信用として定義された所定のメールアドレスを有して前記複数の端末と接続され、それらの端末の一つから送信を受けたとき、前記複数の端末に対してメールを一斉送信する機能を備えたメールサーバーとから構成された連絡網システムにおいて、前記メールサーバーが、前記端末の一つから送信を受けたとき、その端末のメールアドレスは秘匿した上で、該端末を特定するメールアドレス以外の特定情報を付加して一斉送信する機能を備えたことを特徴とするものである。【０００９】なお上記の特定情報は、例えば連絡網システムの加入者から各々申請されたニックネームなどとすることができ、それは一例としてメールの「件名」の欄に件名に続けて表示すればよい。また、上記の「複数の端末に対してメールを一斉送信する」とは、連絡網システム加入者の端末すべてに対して一斉送信することは勿論のこと、加入者の中で特定のグループに属する者の端末のみに一斉送信することも含むものとする。【００１０】また、上記の「秘匿」とは、通常のユーザーが端末を通常に操作する限り、メールを構成する要素（件名、本文、送信者等の欄）にメールアドレスが表示されないようにすることを表すものとする。【００１１】なお、本発明による連絡網システムにおいては、前記特定情報が付加されたメールを受信した端末から、そのメールへの返信がなされたとき、その特定情報が特定する一つの端末のみを選択して送信する機能を前記メールサーバーが備えていることが望ましい。【００１２】そして、上述のように、特定情報が特定する一つの端末のみを選択して送信する機能をメールサーバーが備えている場合、そのメールサーバーはさらに、返信をした端末のメールアドレスを秘匿して送信する機能を備えていることが望ましい。【００１３】さらに、本発明による連絡網システムにおいては、前記複数の端末それぞれの特定情報を端末のメールアドレスと対応付けて記憶した記憶手段が設けられるとともに、前記メールサーバーが、前記複数の端末の一つから送信を受けたとき、その端末のメールアドレスと対応する特定情報を前記記憶手段から読み出し、その読み出した特定情報をメールに付加して一斉送信を行う機能を備えていることが望ましい。
【発明の効果】
【００１４】以上説明したように、本発明の連絡網システムにおいて、メールサーバーが、複数の端末の一つから送信を受けたとき、その端末のメールアドレスは秘匿した上で、該端末を特定するメールアドレス以外の特定情報を付加して一斉送信する機能を備えているので、メールの受信者は、その特定情報を見ることにより、メール発信者が誰であるかを知ることができる。【００１５】そこで、そのメール発信者に対して返信したい者は、例えば個人的に教え合っていたメールアドレスを調べ、そのメールアドレスを宛先とすることによりメール発信者のみに返信することができる。このとき、宛先以外つまりメール発信者以外の端末にメールが送信されることはないから、当事者外の人たちが興味や利害関係の無いメールを何度も受けて煩わしい思いをすることが防止される。【００１６】なお、上記特定情報と端末つまり加入者との対応は、例えばシステム加入者に対応表として予め配布しておくなどにより、各加入者に周知させることができる。より具体的にこの配布しておく対応は、特定情報と端末メールアドレスとの対応や、特定情報と加入者氏名との対応等としておけばよい。【００１７】またメールサーバーからの一斉送信は、上述の通り、それに送信をした端末のメールアドレスを秘匿した状態でなされるから、送信者のメールアドレスがシステム加入者全員に知られてしまうことはない。さらにその一斉送信は、連絡網の送受信用として定義されたメールサーバーの所定のメールアドレスによってなされるから、ドメイン指定受信等の設定操作もそのメールアドレス一つだけに対して行えばよく、よってその設定操作は簡単なものとなる。【００１８】また、本発明の連絡網システムにおいて特に、前記特定情報が付加されたメールを受信した端末から、そのメールへの返信がなされたとき、その特定情報が特定する一つの端末のみを選択して送信する機能をメールサーバーが備えている場合は、メール発信者への返信はより簡単になされ得る。すなわちこの場合は、メール受信者が通常の操作で返信を行うと、その返信メールはメールサーバーを介して自動的にメール発信者のみに送信されるので、返信時に前記対応表等を用いてメール発信者が誰であるか調べるようなことは不要になる。【００１９】さらに、上述のように一つの端末のみを選択して送信するとき、返信をした端末のメールアドレスを秘匿して送信する機能をメールサーバーが備えている場合は、その返信をした端末のメールアドレス（つまり返信者のメールアドレス）がシステム加入者全員に知られてしまうことも防止されるので、より好ましい。【００２０】また、本発明の連絡網システムにおいて特に、前記複数の端末それぞれの特定情報を端末のメールアドレスと対応付けて記憶した記憶手段が設けられるとともに、前記メールサーバーが、前記複数の端末の一つから送信を受けたとき、その端末のメールアドレスと対応する特定情報を前記記憶手段から読み出し、その読み出した特定情報をメールに付加して一斉送信を行う機能を備えている場合は、端末の特定情報とメールアドレスとの対応付けが確実になり、また特定情報の変更等の管理作業も容易化される。
【発明を実施するための最良の形態】
【００２１】以下、図面を参照して、本発明の実施形態について説明する。【００２２】（第１の実施形態）
図１は、本発明の第１の実施形態による連絡網システムを示すものである。この連絡網システムは、それぞれが固有のメールアドレスを有してメールの送受信を行う複数の携帯端末１０１、１０１、・・・（以下、複数を指す場合でも、特に必要の有る場合以外、付番は１つだけ示すこととする）と、該携帯端末１０１からの例えば「連絡網認証画面を開く」、「メールを送信する」等の命令に応じて、画面データを送信する、メールを送信する等の処理をするメールサーバー１０２と、このメールサーバー１０２と複数の携帯端末１０１とを相互接続するネットワーク１０３とから構成されている。【００２３】メールサーバー１０２は後に詳述するように、連絡網の送受信用として定義された所定のメールアドレスを有するものであり、一つの携帯端末１０１から送信を受けたとき、複数の端末１０１、１０１、・・・すべてに対してメールを一斉送信する機能を備えている。より詳しく説明すると、このメールサーバー１０２は、携帯端末１０１に表示される例えば連絡網認証画面や連絡網画面といった画面のデータを送信するＷＥＢ表示部１０２ａ、携帯端末１０１にメールを送信するメール送信部１０２ｂ、携帯端末１０１からのメールを受信するメール受信部１０２ｃ、および複数の携帯端末１０１それぞれの特定情報を端末のメールアドレスと対応付けて記憶した記憶手段を持つデータベース部１０２ｄから構成されている。【００２４】上記ＷＥＢ表示部１０２ａは、携帯端末１０１との間でＨＴＴＰ（Ｈｙｐｅｒｔｅｘｔ  Ｔｒａｎｓｆｅｒ  Ｐｒｏｔｏｃｏｌ）プロトコルやＨＴＴＰＳ（Ｈｙｐｅｒｔｅｘｔ  Ｔｒａｎｓｆｅｒ  Ｐｒｏｔｏｃｏｌ  ｏｖｅｒ  Ｓｅｃｕｒｅ  Ｓｏｃｋｅｔ  Ｌａｙｅｒ）プロトコルにて通信を行う機能を備えている。また上記メール受信部１０２ｃには、受信したメールの件名に付加された特定情報を元に、受信後転送すべきアドレスを検索する返信先決定部１０２ｅが組み込まれている。そしてＷＥＢ表示部１０２ａおよび返信先決定部１０２ｅは、データベース部１０２ｄにアクセス可能となっている。【００２５】以上説明した各機能部、すなわちＷＥＢ表示部１０２ａ、メール送信部１０２ｂ、メール受信部１０２ｃ、データベース部１０２ｄ、および返信先決定部１０２ｅは、メールサーバー１０２を構成する情報処理装置のプログラムによって実現されており、例えばハードディスク装置に格納された当該プログラムをメールサーバー１０２の中央処理装置（Ｃｅｎｔｒａｌ  Ｐｒｏｃｅｓｓｉｎｇ  Ｕｎｉｔ）がメモリを介して順次読み込むことにより、各機能が実現される。また、データベース部１０２ｄはハードディスク装置内に格納されている。なお、本実施形態ではデータベース部１０２ｄがメールサーバー１０２の本体内に設置されているが、本体とは別体に設置されてもよい。【００２６】以上の構成を有するメールサーバー１０２は、インターネット等のネットワークに接続可能で、ＳＭＴＰ（Ｓｉｍｐｌｅ  Ｍａｉｌ  Ｔｒａｎｓｆｅｒ  Ｐｒｏｔｏｃｏｌ）プロトコルに則ったメール等の電子情報を送受信する機能を備えている。【００２７】一方、携帯端末１０１はＷＥＢ表示機能および、電子メール（Ｅｌｅｃｔｒｏｎｉｃ  Ｍａｉｌ）機能つま��ＳＭＴＰプロトコルに則ってメール等の電子情報を送受信する機能を備えている。なお各携帯端末１０１は、あらかじめ、上記メールサーバー１０２において上記のように定義された所定のメールアドレスを受信可能に設定しておく必要がある。【００２８】ネットワーク１０３としては、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いるインターネットが使用される。【００２９】次に、本実施形態の連絡網システムの動作について説明する。本実施形態においては一例として、図１のＷＥＢ表示部１０２ａからのデータに基づいて携帯端末１０１に表示される連絡配信画面を利用して送受信がなされる。すなわち、連絡網システム加入者はまず始めにメールサーバー１０２にアクセスして、図２に示すような連絡網認証画面２０１を携帯端末１０１に表示させる。なおこの連絡網認証画面２０１は、メールサーバー１０２のＷＥＢ表示部１０２ａが具備しているデータに基づいて表示されるものである。【００３０】そして連絡網システム加入者は、上記連絡網認証画面２０１から新規登録を選択して、メールアドレス登録画面２０２を携帯端末１０１に表示させ、このメールアドレス登録画面２０２においてニックネーム、メールアドレス、およびパスワードの入力を行い、確認ボタンを押下し、メールアドレス登録確認画面２０３を表示させる。続いて連絡網システム加入者は、メールアドレス登録確認画面２０３に表示された登録内容を確認し、送信ボタンを押下する。【００３１】以上の操作がなされると、携帯端末１０１からメールサーバー１０２にデータベースへの登録要求が送信される。メールサーバー１０２はこの登録要求を受けると、データベース部１０２ｄに上記ニックネーム、メールアドレス、およびパスワードを保存する。このデータ保存が完了すると、携帯端末１０１においては、メールアドレス登録完了画面２０４が表示される。【００３２】次に図３は、本実施形態の連絡網システムにおけるメールのやり取り処理の流れを示すものである。以下、この図３も参照して、メールのやり取り処理について説明する。【００３３】本連絡網システム加入者の中のメール発信者、つまりある案件について最初にメールを送信する者（以下、加入者Ａとする）は、メールサーバー１０２にアクセスして、図４に示すような連絡網認証画面４０１を携帯端末１０１に表示させる。なおこの、連絡網認証画面４０１は、メールサーバー１０２のＷＥＢ表示部１０２ａが具備しているデータに基づいて表示されるものである。加入者Ａはこの連絡網認証画面４０１においてニックネーム及びパスワードの入力を行い、認証ボタンを押下する。すると携帯端末１０１には、同じく図４に示す連絡網システムメニュー画面４０２が表示される。続いて加入者Ａは、連絡網システムメニュー画面４０２の連絡網を選択し、連絡網画面４０３を携帯端末１０１に表示させる。そして加入者Ａは、この連絡網画面４０３において送信内容の入力を行い、確認ボタンを押下し、連絡網確認画面４０４を表示させる。続いて加入者Ａは、連絡網確認画面４０４に表示された内容を確認し、送信ボタンを押下する。【００３４】以上の操作が��されると、加入者Ａの携帯端末１０１からメールサーバー１０２にメールの送信要求が送られる。メールサーバー１０２は、図３に示すように、加入者Ａの携帯端末１０１から上記のメール送信要求３０１を受けると、次にメール送信処理３０２を実行する。【００３５】メールサーバー１０２はこのメール送信処理３０２において、データベース部１０２ｄに記憶、登録されているすべての携帯端末１０１のメールアドレスの照会を行い、それぞれのメールアドレスを送信先のメールアドレスとしてセットする。またメールサーバー１０２は、データベース部１０２ｄに対して、加入者Ａの携帯端末１０１のメールアドレスに対応するニックネーム（その端末１０１のメールアドレスと対応する特定情報である）を照会し、件名に加入者Ａのニックネームをセットする。さらにメールサーバー１０２は、送信者のメールアドレスとして自身のメールアドレスをセットすると共に、メール本文として加入者Ａから送られた送信内容をセットし、それらのセット内容をメール送信部１０２ｂに渡す。【００３６】そしてメールサーバー１０２内のメール送信部１０２ｂは、ＳＭＴＰプロトコルを利用して、前記送信先のメールアドレスとしてセットされたメールアドレスに対してメールを一斉に送信し、それと同時に加入者Ａの携帯端末１０１において、図４に示す送信完了画面４０５を表示させる。【００３７】一斉送信されたメールを受信した連絡網システム加入者の中で、加入者Ａに対して返信したい者（以後、加入者Ｂとする）は、加入者Ｂの携帯端末１０１の機能によるメール返信処理３０３を利用してメールの返信を行う。なおこの返信は、通常の「返信」の形でなされるので、そのメールの件名には、加入者Ａのニックネームが記載されたままの状態となる。メールサーバー１０２は、この加入者Ｂからのメールを受信すると、その返信先決定部１０２ｅにおいて、メール転送処理３０４が起動される。【００３８】このメール転送処理３０４においてメールサーバー１０２の返信先決定部１０２ｅは、返信メールの件名に付加されていた加入者Ａのニックネームからデータベース部１０２ｄにメールアドレスの照会を行い、送信先のメールアドレスに加入者Ａのメールアドレスをセットする。またメールサーバー１０２はデータベース部１０２ｄに対して、加入者Ｂのメールアドレスに対応するニックネームを照会し、その加入者Ｂのニックネームを件名にセットする。さらにメールサーバー１０２は、加入者Ｂのメールアドレスは秘匿したまま、送信者のメールアドレスとして自身のメールアドレスをセットすると共に、メール本文として加入者Ｂから送られた送信内容をセットし、それらのセット内容をメール送信部１０２ｂに渡す。【００３９】そしてメールサーバー１０２内のメール送信部１０２ｂは、ＳＭＴＰプロトコルを利用して加入者Ａのメールアドレス宛てにメールを送信する。それにより加入者Ａの携帯端末１０１に加入者Ｂからのメールが送られ、加入者Ａがそのメールを取得可能となる。【００４０】以上説明したように本実施形態の連絡網システムにおいては、加入者Ａからのニックネームが付加されたメールを受信した携帯端末１０１から、そのメールへの返信がなされたとき、そのニッ��ネームが特定する一つの携帯端末１０１のみを選択して送信する機能をメールサーバー１０２が備えているので、一斉送信に際して加入者Ａのメールアドレスが秘匿されていても、返信メールが加入者Ａの携帯端末１０１に確実に送られることになる。【００４１】そして、上記一斉送信は加入者Ａのメールアドレスを秘匿した状態でなされるので、その加入者Ａのメールアドレスがシステム加入者の全員に不用意に知られてしまうことが防止される。さらに本実施形態では、返信した加入者Ｂのメールアドレスも秘匿した状態で返信がなされるようになっているので、加入者Ｂのメールアドレスがシステム加入者の全員に不用意に知られてしまうことも防止される。【００４２】また上記の一斉送信は、連絡網の送受信用として定義されたメールサーバー１０２の所定のメールアドレスによってなされるから、ドメイン指定受信等の設定操作もそのメールアドレス一つだけに対して行えばよく、よってその設定操作は簡単なものとなる。【００４３】また、加入者Ｂからの返信メールは加入者Ａのみに返信されるようになっているから、加入者Ａが発信したメールに興味や利害関係が無い人（当事者外）にも加入者Ｂからの返信メールが送られてしまうことがなく、当事者外の人たちが逐一そのような返信メールを受け取る煩わしさが無くなる。【００４４】なお、上述のように自動的に加入者Ａに返信する機能をメールサーバー１０２に付加しておくことは必ずしも必要ではない。すなわち、とにかく、メール発信者である加入者Ａのニックネームが付けられて一斉送信がなされるようにしておけば、一斉送信を受けた加入者たちは、例えばシステム加入者に予め配布されたニックネームと加入者名との対応表を調べる等により、加入者Ａが誰であるかを知ることができる。そうであれば、個人的に教え合っておいた加入者Ａのメールアドレスを送信先アドレスとして返信することにより、加入者Ａのみに返信をすることが可能になる。しかし、本実施形態のようにしておけば、そのように対応表やメールアドレスを調べる手間が不要になるので、当然、より好ましいと言える。【００４５】また、本実施形態の連絡網システムにおいては、複数の携帯端末１０１それぞれのニックネームを端末のメールアドレスと対応付けて記憶したデータベース部（記憶手段）１０２ｄが設けられるとともに、メールサーバー１０２が、複数の携帯端末１０１の一つから送信を受けたとき、その端末のメールアドレスと対応するニックネームをデータベース部１０２ｄから読み出し、その読み出したニックネームをメールに付加して一斉送信を行う機能を備えているので、ニックネームとメールアドレスとの対応付けが確実になり、またニックネームの変更等の管理作業も簡単なものとなる。【００４６】（第２の実施形態）
次に、本発明の第２の実施形態について説明する。この第２の実施形態による連絡網システムは、構成は基本的に図１に示した第１の実施形態のものと同様であって、別の機能が付加されたものである。【００４７】すなわち本実施形態では、連絡網システムの加入者全員に対する一斉送信の他に、加入者の中の特定グループを構成する者のみを対象とする一斉送信もなされ得るようになっている。以下、この第２の実施形態において携帯端末１０１（図１参照。以下、システム構成要素については同様に図１を参照する。）に表示される画面を示す図５を参照して、本実施形態の連絡網システムの機能について説明する。【００４８】本例においても連絡網システム加入者は、まず始めに図１のメールサーバー１０２にアクセスして、図５に示すような連絡網認証画面５０１を携帯端末１０１に表示させる。なおこの連絡網認証画面５０１は、メールサーバー１０２のＷＥＢ表示部１０２ａが具備しているデータに基づいて表示されるものである。連絡網システム加入者はこの連絡網認証画面５０１から新規登録を選択して、メールアドレス登録画面５０２を携帯端末１０１に表示させる。そして、そのメールアドレス登録画面５０２においてニックネーム、メールアドレス、パスワード、および所属グループの入力を行い、確認ボタンを押下し、メールアドレス登録確認画面５０３を表示させる。続いて連絡網システム加入者は、メールアドレス登録確認画面５０３に表示された登録内容を確認し、送信ボタンを押下する。【００４９】以上の操作がなされると、携帯端末１０１からメールサーバー１０２にデータベースへの登録要求が送信される。メールサーバー１０２はこの登録要求を受けると、データベース部１０２ｄに上記ニックネーム、メールアドレス、パスワード、および所属グループを保存する。このデータ保存が完了すると、携帯端末１０１においては、メールアドレス登録完了画面５０４が表示される。【００５０】次に、本実施形態の連絡網システムにおけるメールのやり取り処理について説明する。この場合も、処理の流れは図３に示すようなものとなるので、以下この図３も参照して説明する。【００５１】連絡網システム加入者の中のメール発信者（以後、加入者Ａとする）は、連絡網システム加入者のすべて、またはあるグループに対して一斉送信する場合、加入者Ａの携帯端末１０１のメール送信画面において、宛先にメールサーバー１０２のメールアドレスつまり連絡網の送受信用として定義された所定のメールアドレスを入力し、件名に本来の連絡用件を示すことを入力し、そして連絡内容を本文に入力する。以上は第１の実施形態と同様であるが、この場合はさらに件名に、本連絡網システムであらかじめ設定した全体用、グループＡ用、グループＢ用等に対応した記号を入力して、送信ボタンを押下する等によりメールサーバー１０２宛にメール送信要求３０１（図３参照）が出される。【００５２】メールサーバー１０２は、こうして加入者Ａの携帯端末１０１からメールの送信要求を受けると、メールサーバー１０２内の返信先決定部１０２ｅにあるメール送信処理３０２を実行する。【００５３】このメール送信処理３０２においてメールサーバー１０２は、例えば、件名に付加されていた前記記号が全員を示す場合、メールサーバー１０２内のデータベース部１０２ｄに登録されているすべての携帯端末１０１のメールアドレスの照会を行い、それぞれのメールアドレスを送信先のメールアドレスとしてセットする。さらにメールサーバー１０２は、加入者Ａの携帯端末１０１のメールアドレスから、メールサーバー１０２内のデータベース部１０２ｄに加入者Ａの携帯端末１０１のメールアドレスに対応するニックネームを照会し、件名に加入者Ａのニックネームをセットする。そしてメールサーバー１０２は、送信者のメールアドレスとして自身のメールアドレス（連絡網の送受信用として定義された所定のメールアドレス）をセットするとともに、本文に送信内容をセットし、それらをメール送信部１０２ｂに渡す。【００５４】それ以降のメール送信処理３０２、メール返信処理３０３、およびメール転送処理３０４は、基本的に第１の実施形態におけるのと同様にしてなされる。【００５５】その一方、件名に付加されていた前記記号がグループＡまたはグループＢ等を示す場合、メールサーバー１０２はその記号から、データベース部１０２ｄにメールアドレスの照会を行い、各グループに属しているメールアドレスすべてを送信先のメールアドレスとしてセットする。それとともにメールサーバー１０２は、加入者Ａの携帯端末１０１のメールアドレスから、メールサーバー１０２内のデータベース部１０２ｄに加入者Ａの携帯端末１０１のメールアドレスに対応するニックネームを照会し、件名に加入者Ａのニックネームをセットする。そしてメールサーバー１０２は、送信者のメールアドレスとして自身のメールアドレス（連絡網の送受信用として定義された所定のメールアドレス）をセットするとともに、本文に送信内容をセットし、それらをメール送信部１０２ｂに渡す。【００５６】メール送信部１０２ｂは、上記処理で送信先のメールアドレスとしてセットされたメールアドレスに対し、メールを一斉に送信する。【００５７】一斉送信されたメールを受信した連絡網システム加入者の中で、加入者Ａに対して返信したい者（加入者Ｂ）は、加入者Ｂの携帯端末１０１の機能によるメール返信処理３０３を利用してメールの返信を行う。この返信は、第１の実施形態におけるのと同様にしてなされ、メール転送処理３０４により加入者Ａの携帯端末１０１のみに対して返信メールが転送される。【００５８】以上説明した第２の実施形態においては、一斉送信を、連絡網システム加入者全員に対してだけでなく、その中の特定のグループに対して行うことも可能となっているが、その他の処理は基本的に第１の実施形態と同様になされるので、ここでも、第１の実施形態におけるのと同様の効果を得ることができる。【００５９】なお、上に述べたようにメールの件名に、一斉送信対象を示す記号を入力する代わりに、図１のメールサーバー１０２のＷＥＢ表示部１０２ａに具備されるデータに基づいて、図６で示すような画面を携帯端末１０１に表示させ、そこで一斉送信の対象が全体用、グループＡ用、グループＢ用の中から１つ選択されるようにしてもよい。
【図面の簡単な説明】
【図１】本発明の第１の実施形態による連絡網システムのシステム構成図。
【図２】第１の実施形態において、メールアドレス登録時に携帯端末に表示される画面の概略図。
【図３】第１の実施形態におけるメールのやり取り部分の処理を示す図。
【図４】第１の実施形態において、メール送信処理時に携帯端末に表示される画面の概略図。
【図５】本発明の第２の実施形態において、メールアドレス登録時に携帯端末に表示される画面の概略図。
【図６】第２の実施形態において、メール送信処理時に携帯端末に表示される画面の概略図。
【符号の説明】
１０１      携帯端末
１０２      メールサーバー
１０２ａ    ＷＥＢ表示部
１０２ｂ    メール送信部
１０２ｃ    メール受信部
１０２ｄ    データベース部
１０２ｅ    返信先決定部
１０３      ネットワーク
２０１      連絡網認証画面
２０２      メールアドレス登録画面
２０３      メールアドレス登録確認画面
２０４      メールアドレス登録完了画面
３０１      メール送信要求
３０２      メール送信処理
３０３      メール返信処理
３０４      メール転送処理
４０１      連絡網認証画面
４０２      連絡網システムメニュー画面
４０３      連絡網画面
４０４      連絡網確認画面
４０５      送信完了画面
５０１      連絡網認証画面
５０２      メールアドレス登録画面
５０３      メールアドレス登録確認画面
５０４      メールアドレス登録完了画面
【図１】
2009159578.tif 000003
【図２】
2009159578.tif 000004
【図３】
2009159578.tif 000005
【図４】
2009159578.tif 000006
【図５】
2009159578.tif 000007
【図６】
2009159578.tif 000008